(57)【要約】【課題】磁性体が交番磁界内で急激な磁化反転を生じることによる磁界変動を検出し、該磁性体が磁界内にあること検知する磁性体検知装置において、大バルクハウゼン効果による信号からノイズによる影響を排除し、高い精度で磁性体を検出する。【解決手段】所定周波数の交番磁界を形成する励磁コイル１１と、励磁コイルによって形成された磁界の変動を検出する検出コイルと、検出コイル１２の検出信号に基づき、磁界内にある大バルクハウゼン効果を生じる磁性体を検出する信号処理手段１４とを備える。信号処理手段では、パルス抽出回路２１が検出信号からパルス信号Ｓ２を抽出し、これをトリガーとして、矩形パルス発生回路２２が矩形パルス信号Ｓ３を出力する。この矩形パルス信号と、遅延回路２３によって遅延された信号Ｓ４との論理積を論理回路３１によって出力する。この出力Ｓ５を積分回路３２で積分しても良い。【選択図】図３
2009133733.tif 000002
【特許請求の範囲】
【請求項１】
所定周波数の交番磁界を形成する励磁コイルと、
前記励磁コイルによって形成された磁界の変動を検出する検出コイルと、
前記検出コイルの検出信号に基づき、前記磁界内にある大バルクハウゼン効果を生じる磁性体を検出する信号処理手段とを有し、
前記信号処理手段は、
前記検出信号からパルス信号を抽出するパルス抽出回路と、
前記パルス抽出回路の出力をトリガーとして、継続時間が前記交番磁界の１／２周期より長く設定された矩形パルスを出力する矩形パルス発生回路と、
前記矩形パルス発生回路から出力された信号の位相を遅らせる遅延回路と、
前記矩形パルス発生回路の出力信号と前記遅延回路の出力信号とに基づき、論理積を出力する論理回路と、
前記論理回路の出力信号に基づき、大バルクハウゼン効果による信号を判別する判別回路とを備えることを特徴とする磁性体検知装置。
【請求項２】
前記遅延回路は、前記矩形パルス発生回路から出力される前記矩形パルスの継続時間より長い時間を遅延させるものであることを特徴とするものとする請求項１に記載の磁性体検知装置。
【請求項３】
前記矩形パルス発生回路は、出力する矩形パルスの継続時間を前記交番磁界の２周期より短い時間とするものであることを特徴とする請求項１又は請求項２に記載の磁性体検知装置。
【請求項４】
前記判別回路は、前記論理回路の出力信号の積分値を出力する積分回路と、該積分回路の出力信号と設定された所定の閾値とを対比する比較回路とを含むことを特徴とする請求項１から請求項３までのいずれかに記載の磁性体検知装置。
【発明の詳細な説明】
【技術分野】
【０００１】
本発明は、磁性体が交番磁界内で急激な磁化反転を生じることによる磁界変動を検出し、該磁性体が磁界内にあることを検知する磁性体検知装置に関するものである。
【背景技術】
【０００２】
物品が持ち込まれ又は持ち出されるの検知し、物品の移動を管理したり、管理領域から持ち出しが禁止される物品又は商品を検知して警告等を発する物品管理装置として、大バルクハウゼン効果が生じる磁性体を利用するものが知られている。大バルクハウゼン効果が生じる磁性体は、例えばＦｅ−Ｃｏ系の非晶質金属細線などの軟磁性体が知られており、この磁性体は保磁力を超える交番磁界を与えることにより急激な磁化反転が生じ、磁界変動が生じる。したがって、管理対象物に上記大バルクハウゼン効果を生じる磁性体を添加しておくと、所定の領域に形成された交番磁界内で磁界変動を検出することにより、管理対象物が通過するのを検知することが可能となる。
【０００３】
このような物品管理装置は、例えば特許文献１に記載されているものがある。この物品管理装置は、物品の持ち込み又は持ち出しが管理される領域の出入り口となる通路に励磁コイルによって磁界を形成しておき、併設された検出コイルでこの磁界の変動を検出するものとなっている。つまり、磁性体が添加された物品を所持する通行者が通路を通過するときに大バルクハウゼン効果が生じ、磁性体の磁化反転による磁界変動を検知コイルによって検出するものとなっている。また、このような物品管理装置は、磁性体が添加された記録用紙に印刷又は複写された機密文書等の管理領域からの持ち出し又は持ち込みを管理するために用いることもできる。
【０００４】
一方、特許文献２には、印刷機又は複写機の用紙排出口などに用いることができる磁性体検知装置が記載されている。この磁性体検知装置は、様々なパターンで記録紙に添加された磁性体を検知することにより、磁性体が添加されたパターン情報と記録紙上に印刷された情報とを関連づけて記憶・蓄積し、管理領域から文書を持ち出したり又は持ち込むことの管理を可能にしたり、複写の可否の管理を行うことが提案されている。
【特許文献１】特開２００３−１８２８４７号公報
【特許文献２】特開２００６−２５０８７１号公報
【発明の開示】
【発明が解決しようとする課題】
【０００５】
上記のような磁性体検知装置では、大バルクハウゼン効果による磁界変動が、励磁コイルに印加される交流電圧の周期に基づいて発生するパルス信号として検出される。しかし、信号の検出及び信号処理の過程においては様々な要因によってノイズが生じることがある。特にパルス状のノイズが生じることも多くあり、これらのパルス状のノイズと大バルクハウゼン効果による信号とを識別する必要がある。この識別の精度が悪いと、磁性体の誤検出や検出の漏れが生じることになる。したがって、検出コイルから出力された信号の処理において、高い精度で大バルクハウゼン効果による信号を識別することが求められている。
【０００６】
本発明は、上記のような事情に鑑みてなされたものであり、大バルクハウゼン効果による信号からノイズによる影響を排除し、高い精度で磁性体の急激な磁化反転による信号を検出することを目的とする。
【課題を解決するための手段】
【０００７】
上記課題を解決するために、請求項１に係る発明は、  所定周波数の交番磁界を形成する励磁コイルと、  前記励磁コイルによって形成された磁界の変動を検出する検出コイルと、  前記検出コイルの検出信号に基づき、前記磁界内にある大バルクハウゼン効果を生じる磁性体を検出する信号処理手段とを有し、  前記信号処理手段は、  前記検出信号からパルス信号を抽出するパルス抽出回路と、  前記パルス抽出回路の出力をトリガーとして、継続時間が前記交番磁界の１／２周期より長く設定された矩形パルスを出力する矩形パルス発生回路と、  前記矩形パルス発生回路から出力された信号の位相を遅らせる遅延回路と、  前記矩形パルス発生回路の出力信号と前記遅延回路の出力信号とに基づき、論理積を出力する論理回路と、  前記論理回路の出力信号に基づき、大バルクハウゼン効果による信号を判別する判別回路とを備える磁性体検知装置を提供する。
【０００８】
請求項２に係る発明は、請求項１に記載の磁性体検知装置において、  前記遅延回路は、前記矩形パルス発生回路から出力される前記矩形パルスの継続時間より長い時間を遅延させるものとする。
【０００９】
請求項３に係る発明は、請求項１又は請求項２に記載の磁性体検知装置において、  前記矩形パルス発生回路は、出力する矩形パルスの継続時間を前記交番磁界の２周期より短い時間とする。
【００１０】
請求項４に係る発明は、請求項１から請求項３までのいずれかに記載の磁性体検知装置において、  前記判別回路は、前記論理回路の出力信号の積分値を出力する積分回路と、該積分回路の出力信号と設定された所定の閾値とを対比する比較回路とを含むものとする。
【発明の効果】
【００１１】
上記のような構成を備えることにより、請求項１に係る発明では、周期性を有する大バルクハウゼン効果による信号は、矩形パルス発生回路に対して再トリガーをかけることになって連続した継続時間の長い矩形パルス信号として抽出される。これに対し、ノイズ等の周期性を有していないパルス信号は矩形パルス発生回路から出力される所定の継続時間（時定数）の矩形パルスとなる。そして、遅延回路によって遅延された信号との論理積とすることによってノイズ等の周期性を有していない信号は消去又は矩形パルスの継続時間が短縮され、周期性を有する大バルクハウゼン効果による信号との識別が容易となる。したがって、大バルクハウゼン効果を生じる磁性体の精度の高い検出が可能となる。
【００１２】
請求項２に係る発明では、論理回路の出力信号において、周期性のないノイズによるパルス信号を消去することができ、大バルクハウゼン効果による信号との判別が容易となる。
【００１３】
請求項３に係る発明では、周期性のないノイズによって矩形パルス発生回路に再トリガーが作用する可能性を抑制し、大バルクハウゼン効果による信号との判別の精度を向上させることができる。
【００１４】
請求項４に係る発明では、再トリガーがかかることによって生成された矩形パルスを積分回路においてアナログ信号に変換するととともに、この信号に対して磁性体の通過速度、検出可能範囲等を考慮した閾値を設定して比較回路によって対比することができる。したがって、磁性体の移動の状態に対応して大バルクハウゼン効果による信号を高い精度で判別することができる。
【発明を実施するための最良の形態】
【００１５】
以下、本願に係る発明の一実施形態である磁性体検知装置を図に基づいて説明する。
図１は、本願に係る発明の磁性体検知装置が用いられる画像形成装置の一例を示す概略構成図である。
この画像形成装置１は、原稿に基づいて複写画像を記録用紙上に形成すること、及び装置外から入力される画像信号に基づいて記録用紙上に画像を形成することができるものである。この画像形成装置１の、画像が形成された記録用紙の排出部に磁性体検出装置２が設けられており、記録用紙に漉き込まれている細い線状の磁性体を検出するものとなっている。そして、記録用紙内に含まれる磁性体のパターンを検知してこのパターンと記録用紙上に形成された画像とを関連づけた情報を、画像形成装置内に内蔵された記憶装置又はこの画像形成装置の外部に設けられた記憶装置に蓄積するものとなっている。
【００１６】
この画像形成装置１で用いられる上記記録用紙は、大バルクハウゼン効果を生じる磁性体を線材として紙の繊維に漉き込んだものである。上記磁性体は、複数のパターンで含まれており、例えばＦｅ−Ｃｏ系の非晶質金属細線（直径数十μｍ、長さ１ｍｍ以上）を用いることができる。また、その他の大バルクハウゼン効果を生じる軟磁性体を用いることもできる。
【００１７】
図２は、図１に示す画像形成装置１の排紙部に設けられる磁性体検出装置２を示す概略構成図である。また、図３は、この磁性体検出装置２の信号処理手段の概略構成図である。
この磁性体検出装置２は、画像形成装置の記録用紙１６が排出される排紙経路１０の周囲に巻き回すように設けられて排紙経路１０に交番磁界を形成する励磁コイル１１と、  大バルクハウゼン効果を生じる磁性体が励磁コイルの形成する磁界内で磁化反転し、磁界が変動するのを検出する検出コイル１２と、  上記検出コイル１２により検出される検出信号Ｓ１に基づいて大バルクハウゼン効果を生じる磁性体を検出する信号処理手段１４と、を備えており、上記信号処理手段１４の出力信号Ｓ７は、この出力信号Ｓ７に基づいて記録用紙に含まれる磁性体のパターンを認識する計数装置１５に入力されるものとなっている。
【００１８】
上記励磁コイル１１は、電源装置１３から交流電圧が印加され、上記排紙経路１０に交番磁界を発生させるものである。また、上記検出コイル１２は、励磁コイル１１の内側で該励磁コイル１１の巻き線と平行な鉛直面に沿って巻き回されており、排紙経路１０に生じている磁界の変動を誘導電流として検出するものである。
【００１９】
上記信号処理手段１４は、  検出コイル１２の検出信号Ｓ１に基づいてパルス信号を抽出するパルス抽出回路２１と、  上記パルス抽出回路２１において出力されたパルス信号Ｓ２をトリガーとして矩形パルス信号Ｓ３を出力する矩形パルス発生回路２２と、  上記矩形パルス信号３の位相を遅らせる遅延回路２３と、  上記矩形パルス信号３と上記遅延回路２３により出力される遅延信号Ｓ４とを合成して、大バルクハウゼン効果による信号を抽出する判別回路２４と、  上記遅延回路２３において矩形パルス信号３を遅延させるときの基準となる信号を供給する交番磁界周波数クロック２５とを備えている。
【００２０】
上記パルス抽出回路２１は微分回路を含むものであり、検出コイル１２による検出信号Ｓ１を微分した出力を生じるものである。検出コイル１２による検出信号Ｓ１には、図４（ａ）に示すように、大バルクハウゼン効果による信号が周期的なパルスＳ１ａとして含まれるとともに、励磁コイル１１に印加される電圧の周波数成分が重畳されている。微分回路は、パルス状の信号を減衰させずに又は増幅して出力するとともに、パルス状の信号より周期の長い成分を減衰させて出力する。したがって、パルス抽出回路２１から出力されるパルス信号Ｓ２では、励磁コイル１１に印加される周波数成分の信号が減衰され、大バルクハウゼン効果による周期的なパルスＳ２ａが抽出されるものである。
なお、本例では、パルス抽出回路２１に微分回路を使用しているが、上記検出信号Ｓ１から大バルクハウゼン効果によるパルス信号を抽出できるものであれば他の手段を用いることもできる。
【００２１】
上記矩形パルス発生回路２２は、上記パルス抽出回路２１から出力されるパルス信号Ｓ２をトリガーとして作動する単安定マルチバイブレータを含むものである。この単安定マルチバイブレータが出力する矩形パルス信号Ｓ３の継続時間すなわち時定数は、励磁コイル１１が形成する交番磁界の１／２周期より長く、１周期より短く設定されている。そして、上記パルス信号２に含まれる大バルクハウゼン効果によるパルスは、磁界が反転する毎に生じるものであることから、励磁コイル１１が形成する交番磁界の１／２周期ごとに発生している。したがって、大バルクハウゼン効果による信号を含むパルス信号Ｓ２が入力されると、単安定マルチバイブレータに再トリガーがかかり、周期的なパルスが入力される時間で連続する矩形パルスが出力される。一方、周期性のないノイズ等のパルスが入力されると、単安定マルチバイブレータは矩形パルスを出力するが再トリガーがかからず、設定されている所定の継続時間の矩形パルスを出力するものである。
【００２２】
上記遅延回路２３は、上記矩形パルス信号Ｓ３が入力され、同じ信号を所定の時間（以下、遅延時間という）遅らせて出力するものであり、本例では上記時定数よりも長い時間として、励磁コイル１１によって形成される交番磁界の１周期に相当する時間遅らせた遅延信号Ｓ４を出力するものである。
【００２３】
上記判別回路２４は、上記矩形パルス信号Ｓ３と遅延信号Ｓ４とを合成する論理回路３１と、上記論理回路３１の出力信号Ｓ５を積分してアナログ信号に変換する積分回路３２と、積分回路３２の出力信号Ｓ６を所定の閾値と比較して矩形パルスを出力する比較回路３３とを含むものである。
【００２４】
上記論理回路３１は、矩形パルス発生回路２２から出力される矩形パルス信号Ｓ３と、上記遅延回路２３から出力される遅延信号Ｓ４とが入力され、これらの論理積を出力するものとなっている。つまり、双方の信号がハイレベルの電圧のときに、ハイレベルの電圧を出力し、いずれか一方でもローレベルの電圧であるときには、ローレベルの信号を出力するものとなっている。
【００２５】
上記積分回路３２は、論理回路３１の出力信号を積分するものである。したがって、再トリガーのかかった継続時間の長い矩形パルスが入力されたときには、出力が徐々に上昇して高レベルに達する信号を出力し、継続時間が短い矩形パルスに対しては、低レベルの信号を出力する。そして、比較回路３３は、所定の閾値を積分回路３２の出力信号Ｓ６と比較し、閾値より大きいときに矩形パルスを出力するものとなっている。
【００２６】
上記計数回路１５は、判別回路２４の出力信号Ｓ７に基づき、含まれる矩形パルスを計数するものであり、この矩形パルスが現れるパターンを識別するものとなっている。
【００２７】
次に、上記磁性体検知装置の動作について説明する。
図５は、信号処理手段における信号処理の過程を示す図である。
上記励磁コイル１１に電源装置１３から交流電圧が印加されることにより、画像形成装置の排紙経路１０に交番磁界が形成される。この排紙経路１０を、磁性体を含む記録用紙１６が通過すると大バルクハウゼン効果によって磁性体に急激な磁化反転が生じる。この磁化反転は磁界が所定の強さになったときに生じるものであることから、磁界の急変は交番磁界の１／２周期毎に生じる。磁界の急変は検出コイル１２によって検出され、検出信号１として信号処理手段１４に入力される。この検出信号Ｓ１には、図４（ａ）に示すように大バルクハウゼン効果によるパルス状の信号Ｓ１ａに励磁コイル１１に印加されている電圧の周波数成分が重畳されている。
【００２８】
信号処理手段１４では、上記検出信号Ｓ１がパルス抽出回路２１に入力されることにより、微分されて図４（ｂ）に示すようにパルス状の信号Ｓ２ａが強調され、パルス信号Ｓ２として矩形パルス発生回路２２に入力される。上記検出信号Ｓ１は、磁性体を含む記録用紙が検出コイル１２の設置位置に進入し、通過し終わるまでの時間を一区切りとして検出されており、上記パルス抽出回路２１は、上記記録用紙の通過時間内に検出されるパルス状の信号の集合をパルス信号Ｓ２として出力している。そのため、パルス信号Ｓ２は、図５（ａ）に示すように記録用紙の通過時における大バルクハウゼン効果による信号４２ａと、ノイズであるパルス状の信号４２ｂ、４２ｃとを含んでいる。
【００２９】
上記パルス信号Ｓ２が矩形パルス発生回路２２に入力されることにより、これをトリガーとして図５（ｂ）に示す矩形パルス信号Ｓ３が出力される。大バルクハウゼン効果による信号は励磁コイル１１に印加される交番磁界の１／２周期で生じ、矩形パルス発生回路２２が出力する矩形パルスの時定数より短い間隔で生じるため、再トリガーがかかる。したがって、大バルクハウゼン効果による信号が生じている間は継続する矩形パルス４３ａとなる。一方、パルス状の信号４２ｂ，４２ｃをトリガーとして出力される矩形パルス４３ｂ、４３ｃは、続いてトリガー信号が入力されないために継続時間は時定数となる。
【００３０】
上記矩形パルス信号Ｓ３が遅延回路２３に入力されることにより、図５（ｃ）に示すように、矩形パルス信号Ｓ３の位相を上記矩形パルス発生回路２２の時定数より長い時間、本例では励磁コイル１１によって形成される交番磁界の１周期に相当する時間遅らせた遅延信号Ｓ４が出力される。この遅延回路２３の遅延時間は、交番磁界周波数クロック２５から発振されるクロック信号に基づいて制御される。
【００３１】
上記工程により出力された矩形パルス信号Ｓ３及び矩形パルス遅延信号Ｓ４は、判別回路２４に入力される。上記判別回路２４では、上記矩形パルス信号Ｓ３及び遅延信号Ｓ４が論理回路３１に入力され、図５（ｄ）に示すように論理積が出力される。この論理回路３１の出力信号Ｓ５では、遅延信号Ｓ４の遅延時間より短い継続時間の矩形パルス４３ｂ，４３ｃは消去され、再トリガーによって継続時間が長くなっている矩形パルス４５ａは残ることになる。
【００３２】
また、図６に示すように、パルス信号Ｓ２にパルス状のノイズ５２ｂが短い間隔で含まれ、矩形パルス発生回路２２で再トリガーがかかるような場合においては、論理回路３１の出力信号Ｓ５においてノイズ等による矩形パルス５５ｂが消去されずに残ることになる。しかし、この矩形パルス５５ｂは矩形パルス発生回路２２から出力される矩形パルス信号Ｓ３と遅延回路から出力される遅延信号Ｓ４とが入力された論理回路３１の出力信号Ｓ５において矩形パルス５５ｂの継続時間が短くなっている。
【００３３】
上記論理回路３１の出力信号Ｓ５は積分回路３２に入力されることにより、矩形パルス４５ａ，５５ａ，５５ｂの継続時間に応じて出力のレベルが上昇するアナログ信号に変換される。この積分回路３２の出力信号Ｓ６は比較回路３３に入力され、所定の閾値と比較される。
そして、この比較回路３３の出力信号Ｓ７は、例えば積分回路３２の出力信号が上限の閾値を超えたときを矩形パルス４７ａの立ち上がりＡとし、下限の閾値を下回ったときを矩形パルスの終期Ｂとして、矩形パルス信号Ｓ７を出力するものを採用することができる。上記閾値は、検知対象となる磁性体の大きさ、移動の速度等によって自由に設定できるものである。
【００３４】
このように積分回路３２の出力信号Ｓ６を閾値と比較することにより、図６（ｄ）に示すように、論理回路３１の出力信号Ｓ５にノイズ等による矩形パルス５５ｂが残っていても継続時間が短く、大バルクハウゼン効果による信号と判別して排除することができる。つまり、矩形パルスの継続時間によって大バルクハウゼン効果による信号とノイズ等による信号をより高い精度で判別することが可能となる。
なお、本例では積分回路３２の出力信号Ｓ６と比較する閾値として、上限及び下限の２つの閾値を設定したがこれに限定されるものではない。つまり、一つの閾値を設定し、この閾値を超えたときを立ち上がりＡとし、下回ったときを矩形パルスの終期Ｂとしてもよい。
【００３５】
上記計数装置１５は、判別回路２４の出力信号Ｓ７に基づき、この矩形パルスを計数するものとなっている。これにより記録用紙に磁性体が配置されているパターンを認識することができ、このパターン情報と画像形成装置でこの記録用紙上に形成された画像情報とを関連づけて、図示しない記憶装置等に蓄積することができるものとなっている。
【００３６】
上記実施の形態では、矩形パルス発生回路２２から出力される矩形パルスの継続時間は、交番磁界の１／２周期より長く１周期より短い時間に設定されているが、これより長く設定することもできる。この矩形パルスの継続時間を長く設定することにより、大バルクハウゼン効果による周期性のある信号をより確実に検出することができる。ただし、矩形パルスの継続時間が長くなると大バルクハウゼン効果による信号以外のノイズ等によっても再トリガーがかかる可能性が増大し、大バルクハウゼン効果による信号との誤認が生じるおそれがある。このことを考慮して、矩形パルスの継続時間は交番磁界の２周期に相当する時間以下とするのが望ましい。
【００３７】
また、矩形パルス発生回路２２から出力される矩形パルスの継続時間を長く設定したときに、遅延回路２３の遅延時間が矩形パルスの継続時間より短くなっても良い。
このときには、図７に示すように、パルス抽出回路２１から出力されるパルス信号Ｓ２に周期性のないノイズ等のパルス６２ｂ，６２ｃが含まれていたときに、論理回路３１の出力信号Ｓ５において周期性のないノイズ等に起因する矩形パルス６５ｂ，６５ｃが消去されずに残ることになる。しかしながら、この矩形パルス６５ｂは遅延回路２３及び論理回路３１の機能によって継続時間が短くなっており、積分回路３２を経たアナログ信号では出力が小さい信号６６ｂとなる。したがって、積分回路３２の出力信号Ｓ６を閾値と比較することにより、図６（ｅ）及び図６（ｆ）に示すように、ノイズ等の影響を排除することができる。
なお、遅延回路３２の遅延時間を矩形パルス発生回路２２から出力される矩形パルスの継続時間より長く設定する場合には、積分回路３２及び比較回路３３を省略し、論理回路３１の出力信号を計数装置によって計数することもできる。
【００３８】
以上に説明した磁性体検出装置は、画像形成装置の排紙部に設けられて画像が形成された記録用紙に含まれる磁性体を検出するものであるが、商品や機密文書等の管理対象物が管理領域から持ち出されたり、持ち込まれるのを検出するための携行物管理ゲートに用いることもできる。
この携行物管理ゲートは、管理対象物の持ち出し及び持ち込みが管理される領域の出入り口となる通路に設けられ、この通路内に交番磁界を形成する励磁コイルが通路に対向して設けられる。また、この通路内における磁界変動が生じたときに、これを検知する検出コイルが併設される。そして、管理対象物となる商品又は機密文書等には、大バルクハウゼン効果を生じる磁性体を添加しておく。管理領域に出入りする通行者があるときには通路内に交番磁界を形成し、検出コイルによって磁界の変動を検知して上記実施の形態と同様に処理を行う。この処理により、通行者の携行物に管理対象物が含まれていると、大バルクハウゼン効果による信号が検出され、警告を発したり、通行者の通行を禁止するようにゲートを閉鎖することができる。
なお、このようなゲートでは、大バルクハウゼン効果による信号を繰り返し検出する回数が問題となることは少なく、計数装置は使用しないものとすることができる。
【図面の簡単な説明】
【００３９】
【図１】本発明の磁性体検知装置が用いられる画像形成装置の一例を示す概略構成図である。
【図２】図１に示す画像形成装置で用いられる磁性体検知装置であって、本発明の一実施形態である磁性体検知装置の概略構成図である。
【図３】図２に示す磁性体検知装置の信号処理手段を示す概略構成図である。
【図４】図２に示す磁性体検知装置の検出コイルで検出された検出信号及びこの検出信号から抽出されたパルス信号を示す概略図である。
【図５】図３に示す信号処理手段における信号処理の一例を示す概略図である。
【図６】図３に示す信号処理手段における信号処理の他の例を示す概略図である。
【図７】図３に示す信号処理手段における信号処理の他の例を示す概略図である。
【符号の説明】
【００４０】
１：画像形成装置、    ２：磁性体検知装置、    
１０：排紙経路、    １１：励磁コイル、    １２：検出コイル、    １３：電源装置、    １４：信号処理手段、    １５：計数装置、    １６：大バルクハウゼン効果を生じる磁性体が添加された記録シート、    
２１：パルス抽出回路、    ２２：矩形パルス発生回路、    ２３：遅延回路、    ２４：判別回路、    
３１：論理回路、    ３２：積分回路、    ３３：比較回路、    
Ｓ１：検出信号、    Ｓ２：パルス信号、    Ｓ３：矩形パルス信号、    Ｓ４：遅延信号、    Ｓ５：論理回路の出力信号、  Ｓ６：積分回路の出力信号、    Ｓ７：信号処理手段の出力信号、
【図１】
2009133733.tif 000003
【図２】
2009133733.tif 000004
【図３】
2009133733.tif 000005
【図４】
2009133733.tif 000006
【図５】
2009133733.tif 000007
【図６】
2009133733.tif 000008
【図７】
2009133733.tif 000009